Podtech/llm-jp-corpus-v4-ja_patent huggingface dataset:
【誤訳訂正書】
【提出日】平成21年5月18日(2009.5.18)
【誤訳訂正１】
【訂正対象書類名】明細書
【訂正対象項目名】００２８
【訂正方法】変更
【訂正の内容】
【００２８】
交換機20は、通話中のモバイル機器14から受けられた通話を、ネットワーク12を通して、１つ以上の特別番号サービスステーション22、24、26に結合する。特別番号サービスステーション22、24、26は、図１で例示された緊急サービスE9-1-1遠隔通信の配置10における公衆安全応答ポイントPSAP1, PSAP2, PSAPn内で具体化される。望ましくは、また、モバイル交換局18はモバイル位置センター30と結合される。モバイル位置センター30は、少なくとも１つの場所/位置の決定用ユニット32に結合される。望ましくは、モバイル交換局18によって通話中のモバイル機器14から受け取られた通話情報の一部は、制限のためではなく、一例として採用されるかもしれない、通話中のモバイル機器14の場所に関連する全地球測位システム(GPS)情報か他の位置を示す情報である。通話中のモバイルユニット14の場所の指示をモバイル交換局18に供給するために、モバイル位置センター30および場所/位置決定ユニット32は、モバイル交換局18から受信された位置を示す情報（以下位置指示情報という）を採用するために協働する。その位置は緯度経度形式か別の形式で示されるかもしれない。この位置指示情報は、ネットワーク12を支援して、実在の通話をどの交換機20を接続するかを決定するために、ネットワーク12を横断する通話を伴う通話情報(例えば、通話のセットアップ、またはルーティングの情報)に含まれるかもしれない。また、位置指示情報は、どの特別番号のサービスステーション22、24、26が実在の通話を受けるべきであるかを選択するために交換機20により採用されてもよい。実在の通話で要求されたサービスを提供するために、実在の通話を特別番号のサービスステーション22、24、26(例えば、PSAP1、PSAP2、PSAPn)に発送することは重要である。模範的な通話システムは図１で例示される。PSAP1は、通話中のモバイル機器14の位置に基づき、通話中のモバイル機器14によって出された実在の通話の適切な受取人である。
【誤訳訂正２】
【訂正対象書類名】明細書
【訂正対象項目名】００３０
【訂正方法】変更
【訂正の内容】
【００３０】
補足的情報の格納施設50はALIユニット40に結合される。補足的情報格納施設50は、個々の通話者によって検索可能なように情報が格納された補足的情報格納装置52を含む。補足的情報格納装置52はインタフェースユニット54に結合される。インタフェースユニット54は、望ましくは、ALIユニット40に結合され、そして、PSAP1によって引き起こされた照会をALIユニット40に応答するか、または、補足的情報格納装置52に格納された補足的情報を、実在の照会で特定された通話者に提供するために、ALIユニット40により中継される。望ましくは、電話番号情報、呼び出しルーティング情報または、そのような識別用の情報の組み合わせを使用することで通話者の識別が実施される。所望により、ALIユニット40によってPSAP1に提供された応答が、通話中のモバイル機器14に関連する位置指示情報を含むことができるように、ALIユニット40は、モバイル位置センター30に結合されてもよい。これとは別に所望により、ALIユニット40に提供された応答が、通話中のモバイル機器14に関連する位置指示情報を含むことができるように、インタフェースユニット54は、モバイル位置センター30に結合されてもよい。インタフェースユニット54とモバイル位置センター30との間のこの接続の代替性は、インタフェースユニット54とモバイル位置センター30を結合する点線58によって示される。別の代替手段は、ALIユニット40への直接の接続を含むことなく、インタフェースユニット54が直接にPSAP1(または、他のPSAP)に結合されることを可能にする。合衆国での緊急サービス・システム内の複数のPSAPと複数のALIユニットとの間の既存の接続の利点を得るために、図１の結合構成を採用するのが望ましい。
【誤訳訂正書】
【提出日】平成21年3月24日(2009.3.24)
【誤訳訂正１】
【訂正対象書類名】特許請求の範囲
【訂正対象項目名】全文
【訂正方法】変更
【訂正の内容】
【特許請求の範囲】
【請求項１】
非エアゾール及び非トリガー型泡生成ディスペンサーと共に使用するための液体洗剤組成物であって、
Ａ．１０％〜９０％の界面活性剤と、
Ｂ．１０％〜７０％の溶媒と、
Ｃ．残部の補助洗剤成分と
を含み、該組成物が５℃で０．１５Ｐａ・ｓ未満の粘度を有し、該組成物が−０．００８Ｐａ・ｓ／℃を超える粘度−温度勾配を有し、且つ該組成物が少なくとも４０℃の引火点を有する液体洗剤組成物。
【請求項２】
前記液体洗剤組成物が、液晶組成物、マイクロエマルション及びプロトマイクロエマルションから成る群から選択される、請求項１に記載の液体洗剤組成物。
【請求項３】
前記組成物が少なくとも４３℃の引火点を有する、請求項１に記載の液体洗剤組成物。
【請求項４】
前記組成物が−０．００８Ｐａ・ｓ／℃〜０Ｐａ・ｓ／℃の粘度−温度勾配を有する、請求項１に記載の液体洗剤組成物。
【請求項５】
１５％〜６０％の溶媒を含む、請求項１に記載の液体洗剤組成物。
【請求項６】
１％〜２０％の、ヒドロトロープ、ナフタレン及びこれらの混合物から成る群から選択される粘度調節成分をさらに含む、請求項１に記載の液体洗剤組成物。
【請求項７】
５℃での粘度が０．００１Ｐａ・ｓ〜０．１Ｐａ・ｓである、請求項１に記載の液体洗剤組成物。
【請求項８】
前記組成物が−０．００６Ｐａ・ｓ／℃〜０Ｐａ・ｓ／℃の粘度−温度勾配を有する、請求項４に記載の液体洗剤組成物。
【請求項９】
前記溶媒が、水、アルコール、グリコール、エーテル、エーテルアルコール、カルビトール及びこれらの混合物から成る群から選択される、請求項５に記載の液体洗剤組成物。
【請求項１０】
非エアゾール及び非トリガー型泡生成ディスペンサーと共に使用するための液体洗剤組成物であって、
Ａ．１０％〜９０％の界面活性剤と、
Ｂ．１０％〜７０％の、水、アルコール、グリコール、エーテル、エーテルアルコール、カルビトール及びこれらの混合物から成る群から選択される溶媒と、
Ｃ．１％〜２０％の、ヒドロトロープ、ナフタレン及びこれらの混合物から成る群から選択される粘度調節成分と、
Ｄ．０．２５％〜５０％の低水溶性油と、
Ｅ．残部の補助洗剤成分と
を含み、該組成物が５℃で０．１５Ｐａ・ｓ未満の粘度を有し、該組成物が−０．００８Ｐａ・ｓ／℃〜０Ｐａ・ｓ／℃の粘度−温度勾配を有し、且つ該組成物が４０℃〜５００℃の引火点を有する液体洗剤組成物。
【請求項１１】
非エアゾール及び非トリガー型泡生成ディスペンサーであって、その中に、
Ａ．１０％〜９０％の界面活性剤と、
Ｂ．１０％〜７０％の、水、アルコール、グリコール、エーテル、エーテルアルコール、カルビトール及びこれらの混合物から成る群から選択される溶媒と、
Ｃ．１％〜２０％の、ヒドロトロープ、ナフタレン及びこれらの混合物から成る群から選択される粘度調節成分と、
Ｄ．０．２５％〜５０％の低水溶性油と、
Ｅ．残部の補助洗剤成分と
を含む液体洗剤組成物であって、該組成物が５℃で０．１５Ｐａ・ｓ未満の粘度を有し、該組成物が−０．００８Ｐａ・ｓ／℃〜０Ｐａ・ｓ／℃の粘度−温度勾配を有し、且つ該組成物が４０℃〜５００℃の引火点を有する液体洗剤組成物を含む非エアゾール及び非トリガー型泡生成ディスペンサー。
【請求項１２】
前記ディスペンサーがポンプ泡生成器である請求項１１に記載の非エアゾール及び非トリガー型泡生成ディスペンサー。
【誤訳訂正２】
【訂正対象書類名】明細書
【訂正対象項目名】０００５
【訂正方法】変更
【訂正の内容】
【０００５】
驚くべきことに、液体洗剤組成物を泡生成ディスペンサー、特に非エアゾール及び非トリガー型泡生成ディスペンサーに入れて提供することが望ましいことが今では判明している。しかし、多数の泡生成ディスペンサーは、広い範囲の粘度から泡を上手く作ることができないことが今では判明している。このように、特定の粘度−温度特性を有する液体洗剤組成物が非常に優れた及び一貫性のある結果を与えることが今では判明している。さらに、エタノールのような揮発性及び希薄溶媒を添加することによって粘度を低下することは容易であるが、その結果、多数の洗浄方法、特に家庭での洗浄方法で許容できない引火点となることが今では判明している。逆に、所望の引火点を有する他の組成物は、一般的に許容可能な粘度−希釈特性を持たない。したがって、泡生成ディスペンサーに入った許容可能な及び安全な液体洗剤製品を提供するためには、温度の関数としての粘度限界並びに引火点の両方を最初から考慮に入れて液体洗剤組成物を設計することが特に有益であることが今では理解されている。このような液体洗剤組成物は、泡生成ディスペンサーと共に用いた時に重大な効果を有する。
【誤訳訂正３】
【訂正対象書類名】明細書
【訂正対象項目名】００１５
【訂正方法】変更
【訂正の内容】
【００１５】
本明細書の液体洗剤組成物は、約１０％〜約９０％の界面活性剤、約１０％〜約７０％の溶媒及び残部の補助洗剤成分を含有する。さらに重要なことには、該組成物は、５℃で約０．１５Ｐａ・ｓ未満の粘度、約−０．００８Ｐａ・ｓ／℃未満の粘度−温度勾配を有し、且つ少なくとも４０℃の引火点も有する。このような組成物は、所望に応じて溶液、液晶組成物、マイクロエマルション及び／又はプロトマイクロエマルション（protomicroemulsion）の形態であってもよい。本発明の液体洗剤組成物は、典型的には、硬質表面洗浄組成物、食器手洗い用若しくは自動食器洗い機用の組成物、研磨組成物及び／又は洗濯・布地ケア組成物、好ましくは硬質表面洗浄組成物、食器手洗い用組成物及び／又は研磨組成物、より好ましくは硬質表面洗浄組成物及び／又は食器手洗い用組成物、さらに好ましくは食器手洗い用組成物として意図されている。さらに、このような組成物は特に、ボディウオッシュ、髭剃り及び／又はパーソナルトイレタリの技術分野において既知のもののような、泡生成ディスペンサー、好ましくは非エアゾール及び非トリガー型泡生成ディスペンサーと組み合わせて使用するためのものである。理論に束縛されるものではないが、このようなディスペンサーの泡生成メカニズムは、本明細書の組成物と組み合わせて使用した時に卓越した結果を特異的に与えると考えられる。
【手続補正書】
【提出日】平成20年11月21日(2008.11.21)
【手続補正１】
【補正対象書類名】明細書
【補正対象項目名】００１９
【補正方法】変更
【補正の内容】
【００１９】
熱可塑性溶融加工可能なフルオロポリマー（以下、フルオロサーモプラスト）を製造する方法の一実施形態では、少なくとも１つの二重結合の炭素上に臭素またはヨウ素原子を有するオレフィンが変性剤として使用される。オレフィンは、Ｂｒおよび／またはＩ原子を含有する以外に、フッ素化されていなくても、すなわちフッ素原子を含有していなくても良く、部分的にフッ素化され、すなわち全てではないが一部の水素原子がフッ素原子で置換されていても良く、またはオレフィンは、その中でＩまたはＢｒで置換されているもの以外は、全ての水素原子がフッ素原子で置換されている完全フッ素化（過フッ素化）(perfluorinated)化合物であっても良い。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008524129.tif 000001
の化合物又はその薬学的に許容される塩又は生理的機能性誘導体を含むうっ血性心不全（ＣＨＦ）の治療用薬剤。
【請求項２】
式（II）：
【化２】
2008524129.tif 000002
の化合物又はその薬学的に許容される塩又は生理的機能性誘導体を含むうっ血性心不全（ＣＨＦ）の治療用薬剤。
【請求項３】
化合物（II）が式（III）：
【化３】
2008524129.tif 000003
の化合物によって特徴付けられる、請求項２に記載の薬剤。
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
酢酸を製造するための触媒系において、触媒系はロジウムカルボニル化触媒と沃化メチルと少なくとも１種のヘテロポリ酸プロモータとを含有することを特徴とする触媒系。
【請求項２】
アルカリ金属沃化物とアルカリ土類金属沃化物とＩ−を発生しうる金属錯体とＩ−を発生しうる塩類との不存在下における請求項１に記載の触媒系。
【請求項３】
アルカリ金属沃化物、アルカリ土類金属沃化物、Ｉ−を発生しうる金属錯体、Ｉ−を発生しうる塩およびその混合物から選択される補助促進剤を更に含有する請求項１に記載の触媒系
【請求項４】
補助促進剤が沃化リチウム、沃化カルシウム、第四沃化アンモニウム、沃化ホスホニウム、並びにランタニド金属、ニッケル、鉄、アルミニウムおよびクロムの錯体から選択される請求項３に記載の触媒。
【請求項５】
補助促進剤が沃化リチウムである請求項４に記載の触媒。
【請求項６】
ヘテロポリ酸がシリコタングステン酸、シリコモリブデン酸、ホスホタングステン酸、ホスホモリブデン酸およびその混合物から選択される請求項１〜５のいずれか一項に記載の触媒系。
【請求項７】
ヘテロポリ酸が１２−タングスト燐酸、１２−モリブド燐酸、１２−タングスト珪酸、１２−モリブド珪酸およびその混合物から選択される請求項６に記載の触媒系。
【請求項８】
メタノールおよび／またはその反応性誘導体を、酢酸メチルと有限濃度の水と酢酸と請求項１〜７のいずれか一項に記載の触媒系とを含有する液体反応組成物にて一酸化炭素でカルボニル化することによる酢酸の製造方法。
【請求項９】
液体反応組成物に添加されるヘテロポリ酸の量がヘテロポリ酸アニオンとロジウムとのモル比を［０より大〜１５］：１の範囲とするような量である請求項８に記載の方法。
【請求項１０】
ヘテロポリ酸アニオンとロジウムとのモル比が［４より大〜１２］：１の範囲である請求項９に記載の方法。
【請求項１１】
ヘテロポリ酸アニオンとロジウムとのモル比が［８〜１１］：１の範囲である請求項１０に記載の方法。
【請求項１２】
液体反応組成物におけるロジウムの濃度が５０〜５０００ｐｐｍの範囲である請求項８〜１１のいずれか一項に記載の方法。
【請求項１３】
液体反応組成物における酢酸メチルの濃度が０．５〜４０重量％の範囲である請求項８〜１２のいずれか一項に記載の方法。
【請求項１４】
液体反応組成物における水の濃度が１〜２０重量％の範囲である請求項８〜１３のいずれか一項に記載の方法。
【請求項１５】
液体反応組成物における水の濃度が１〜１０重量％の範囲である請求項１４に記載の方法。
【請求項１６】
液体反応組成物における水の濃度が２〜１０重量％の範囲である請求項１５に記載の方法。
【請求項１７】
沃化メチルの濃度が５〜１６重量％の範囲である請求項８〜１６のいずれか一項に記載の方法。
【請求項１８】
メタノールの反応性誘導体が酢酸メチル、ジメチルエーテルおよび沃化メチルから選択される請求項８〜１７のいずれか一項に記載の方法。
【請求項１９】
カルボニル化を１００〜３００℃の範囲の温度および１×１０６Ｎ／ｍ２〜２×１０７Ｎ／ｍ２の全圧力にて行う請求項８〜１８のいずれか一項に記載の方法。
【請求項２０】
この方法を連続法として操作する請求項８〜１９のいずれか一項に記載の方法。
【請求項２１】
触媒系が請求項３〜５のいずれか一項による触媒系であり、および液体反応組に添加される補助促進剤の量が、発生するイオン性沃化物の量を５〜２０重量％の範囲にするような量である請求項８〜２０のいずれか一項に記載の方法。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
ＰＰＡＲアゴニスト及び／又はアンタゴニストと、天然又は合成オメガ−３脂肪酸類、又はその薬学的に許容できるエステル、誘導体、接合体、前駆体、若しくは塩、又はその混合物、を含有する溶媒系とを含有する医薬組成物であって、
前記オメガ−３脂肪酸類及び前記ＰＰＡＲアゴニスト及び／又はアンタゴニストは共に、高トリグリセリド血症、高コレステロール血症、混合型異脂肪血症、血管性疾患、アテローム動脈硬化症疾患及び関連症状、肥満の被験者の治療、心血管性及び血管性イベントの予防若しくは低減、インスリン耐性、空腹時グルコースレベル及び食後グルコースレベルの低減並びに／又は糖尿病の発生率の低減及び／若しくは糖尿病の発症の遅延のための有効量で存在する医薬組成物。
【請求項２】
前記ＰＰＡＲアゴニスト及び／又はアンタゴニストは、フィブレート類、チアゾリジンジオン類、非チアゾリジンジオン類及びメタグリダセンからなる群より選択される請求項１記載の医薬組成物。
【請求項３】
前記ＰＰＡＲアゴニスト及び／又はアンタゴニストは、フィブレートを含有する請求項１記載の医薬組成物。
【請求項４】
前記ＰＰＡＲアゴニスト及び／又はアンタゴニストは、フェノフィブレートを含有する請求項１記載の医薬組成物。
【請求項５】
前記溶媒系は、前記オメガ−３脂肪酸類の他に、前記溶媒系の全質量に対して５０％（質量／質量）未満の、１種以上の可溶化剤を含有する請求項１記載の医薬組成物。
【請求項６】
前記溶媒系は、前記オメガ−３脂肪酸類の他に、１種以上の可溶化剤を含有し、前記可溶化剤に対するオメガ−３脂肪酸類の質量比は０．５対１以上である請求項１記載の医薬組成物。
【請求項７】
前記溶媒系は、前記溶媒系の全質量に対して２０％（質量／質量）未満の、１種以上の親水性溶媒を含有する請求項１記載の医薬組成物。
【請求項８】
室温で６月以上安定である請求項１記載の医薬組成物。
【請求項９】
単位用量形態である請求項１記載の医薬組成物。
【請求項１０】
フェノフィブレートと、天然又は合成オメガ−３脂肪酸類、又はその薬学的に許容できるエステル、誘導体、接合体、前駆体、若しくは塩、又はその混合物を含有する溶媒系とを含有する単位用量形態の医薬組成物であって、
前記オメガ−３脂肪酸類の他に、前記溶媒系の全質量に対して５０％（質量／質量）未満の、１種以上の可溶化剤を含有する医薬組成物。
【請求項１１】
前記溶媒系は前記オメガ−３脂肪酸類からなる請求項１０記載の医薬組成物。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
活性成分として約80mgのアンギオテンシンII受容体アンタゴニストテルミサルタンと、約25mgの利尿薬ヒドロクロロチアジドとを含む、高血圧の治療用医薬組成物。
【請求項２】
活性成分として約160mgのアンギオテンシンII受容体アンタゴニストテルミサルタンと、約50mgの利尿薬ヒドロクロロチアジドとを含む、高血圧の治療用医薬組成物であって、半分に分割できる前記組成物。
【請求項３】
前記医薬組成物が錠剤又はカプセル剤である、請求項１又は２に記載の組成物。
【請求項４】
前記医薬組成物が、即時放出特性を有する溶解性錠剤マトリックス中の前記成分テルミサルタンを含有する、請求項３に記載の組成物。
【請求項５】
前記利尿薬ヒドロクロロチアジドが、崩壊性医薬マトリックス中の別個の層を形成している、請求項３に記載の組成物。
【請求項６】
テルミサルタン又はその塩が実質的に非晶質形態である、請求項３に記載の組成物。
【請求項７】
不活性成分として、水酸化ナトリウム、メグルミン、ポビドン、ソルビトール、ステアリン酸マグネシウム、ラクトース一水和物、微結晶性セルロース、トウモロコシデンプン及びナトリウムデンプングリコレートを含む、請求項３に記載の組成物。
【請求項８】
前記溶解性錠剤マトリックスが、塩基性薬剤、水溶性希釈剤を含み、かつ任意に他の賦形剤及びアジュバントを含んでよい、請求項４に記載の組成物。
【請求項９】
前記塩基性薬剤が、アルカリ金属の水酸化物、塩基性アミノ酸及びメグルミンから選択される、請求項８に記載の組成物。
【請求項１０】
前記水溶性希釈剤が、グルコース等の単糖類；スクロース及びラクトース等のオリゴ糖類；及びソルビトール、マンニトール、エリスロール及びキシリトール等の糖アルコール類から選択される、請求項８に記載の組成物。
【請求項１１】
前記他の賦形剤及びアジュバントが、結合剤、担体、充填剤、潤沢剤、流れ調整剤、結晶化遅延剤、可溶化剤、着色剤、pH調整剤、界面活性剤及び乳化剤から選択される、請求項８に記載の組成物。
【請求項１２】
前記錠剤マトリックスが、テルミサルタンと塩基性薬剤を含む水溶液を噴霧-乾燥させて噴霧-乾燥顆粒を製造し、前記噴霧-乾燥顆粒を水溶性希釈剤と混合してプレミックスを製造し、前記プレミックスを潤沢剤と混合して最終ブレンドを製造し、かつ前記最終ブレンドを圧縮して第１錠剤層を形成することによって製造される、請求項８に記載の組成物。
【請求項１３】
前記崩壊性錠剤マトリックスが、充填剤、結合剤、崩壊剤を含み、かつ任意に他の賦形剤及びアジュバントを含んでよい、請求項５に記載の組成物。
【請求項１４】
前記他の賦形剤及びアジュバントが、担体、希釈剤、潤沢剤、流れ調整剤、可溶化剤、抗酸化剤、着色剤、pH調整剤、界面活性剤及び乳化剤から選択される、請求項１３に記載の組成物。
【請求項１５】
前記医薬組成物が、アルミニウムホイルブリスターパック又はポリプロピレンチューブ及びHDPEボトル等の防湿包装材料で包装されている、請求項１に記載の組成物。
【請求項１６】
血圧が、アンギオテンシンII受容体アンタゴニストによる治療又は前記アンギオテンシンII受容体アンタゴニストと低用量のHCTZの併用では十分に制御されない患者用である、請求項１〜１５のいずれか一項に記載の組成物。
【請求項１７】
前記患者が、低い血漿レニン活性又は血漿レニン濃度を有する、請求項１６に記載の組成物。
【請求項１８】
さらに、脳卒中、心筋梗塞、一過性脳虚血発作、うっ血性心不全、心臓血管疾患、インスリン抵抗性、耐糖能障害、プレ糖尿病、2型糖尿病、代謝症候群(症候群X)、肥満症、高トリグリセリド血症、C-反応性タンパク質の高血清濃度、リポタンパク質の高血清濃度、ホモシステインの高血清濃度、低密度リポタンパク質(LDL)-コレステロールの高血清濃度、リポタンパク質関連ホスホリパーゼ(A2)の高血清濃度、高密度リポ脂質(HDL)-コレステロールの低血清密度、HDL(2b)-コレステロールの低血清濃度、アジポネクチンの低血清濃度、認知低下及び認知症から成る群より選択される状態を治療又は予防するための、請求項１〜１７のいずれか一項に記載の組成物。
【請求項１９】
血圧がアンギオテンシンII受容体アンタゴニストによる治療又は前記アンギオテンシンII受容体アンタゴニストと低用量の利尿薬HCTZの併用では十分に制御されない患者の高血圧を治療するための、アンギオテンシンII受容体アンタゴニストテルミサルタンと利尿薬ヒドロクロロチアジドとを含む医薬単位剤形であって、前記テルミサルタンとヒドロクロロチアジドの質量比が、約80mgのテルミサルタンと約25mgのヒドロクロロチアジドの一日用量で前記患者を治療するのを可能にする、前記医薬単位剤形の製造方法。
【請求項２０】
前記剤形が、約80mgのテルミサルタンと約25mgのヒドロクロロチアジドを含む、請求項１９に記載の方法。
【請求項２１】
前記剤形が、約40mgのテルミサルタンと約12.5mgのヒドロクロロチアジドを含む、請求項１９に記載の方法。
【請求項２２】
前記剤形が、約160mgのテルミサルタンと約50mgのヒドロクロロチアジドを含み、かつ半分に分割できる、請求項１９に記載の方法。
【請求項２３】
請求項１又は２に記載の医薬組成物の製造のための、テルミサルタンとHCTZの使用。
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2008524145.tif 000001
（式中、Ｒは、シクロペンチルまたはイソプロピルを表す）
の化合物並びにその塩、溶媒和物および塩の溶媒和物。
【請求項２】
式（Ｉａ）
【化２】
2008524145.tif 000002
の化合物並びにその塩、溶媒和物および塩の溶媒和物。
【請求項３】
式（Ｉｂ）
【化３】
2008524145.tif 000003
の化合物並びにその塩、溶媒和物および塩の溶媒和物。
【請求項４】
疾患の処置および／または予防のための、請求項１ないし請求項３のいずれかに記載の式（Ｉ）の化合物。
【請求項５】
冠動脈心疾患の一次的および／または二次的予防のための医薬を製造するための、請求項１ないし請求項３のいずれかに記載の式（Ｉ）の化合物の使用。
【請求項６】
低リポ蛋白血症、異脂肪血症、高トリグリセリド血症、高脂血症、高コレステロール血症、動脈硬化症、再狭窄、肥満、肥満症、糖尿病、卒中およびアルツハイマー病の処置および／または予防のための医薬を製造するための、請求項１ないし請求項３のいずれかに記載の式（Ｉ）の化合物の使用。
【請求項７】
請求項１ないし請求項３のいずれかに記載の式（Ｉ）の化合物を、不活性、非毒性の医薬的に適する補助剤と組み合わせて含む、医薬。
【請求項８】
請求項１ないし請求項３のいずれかに記載の式（Ｉ）の化合物を、抗糖尿病剤、血小板凝集阻害剤、抗凝血剤、カルシウム拮抗薬、アンジオテンシンＡＩＩアンタゴニスト、ＡＣＥ阻害剤、ベータ遮断薬、ホスホジエステラーゼ阻害剤、可溶性グアニル酸シクラーゼの刺激剤、ｃＧＭＰ増強剤、利尿剤、甲状腺受容体アゴニスト、ＨＭＧ−ＣｏＡレダクターゼ阻害剤、スクアレンシンターゼ阻害剤、スクアレンエポキシダーゼ阻害剤、オキシドスクアレンシクラーゼ阻害剤、ＡＣＡＴ阻害剤、ＭＴＰ阻害剤、ＰＰＡＲアゴニスト、フィブラート、リパーゼ阻害剤、コレステロール吸収阻害剤、胆汁酸再吸収阻害剤、ポリマー性胆汁酸吸着剤およびリポタンパク質（ａ）アンタゴニストからなる群から選択される１種またはそれ以上のさらなる活性化合物と組み合わせて含む、医薬。
【請求項９】
冠動脈心疾患の一次的および／または二次的予防のための、請求項７または請求項８に記載の医薬。
【請求項１０】
低リポ蛋白血症、異脂肪血症、高トリグリセリド血症、高脂血症、高コレステロール血症、動脈硬化症、再狭窄、肥満、肥満症、糖尿病、卒中およびアルツハイマー病の処置および／または予防のための、請求項７または請求項８に記載の医薬。
【請求項１１】
有効量の請求項１ないし請求項３のいずれかに記載の式（Ｉ）の化合物または請求項７ないし請求項１０のいずれかに記載の医薬を投与することによる、ヒトおよび動物の冠動脈心疾患の一次的および／または二次的予防方法。
【請求項１２】
有効量の請求項１ないし請求項３のいずれかに記載の式（Ｉ）の化合物または請求項７ないし請求項１０のいずれかに記載の医薬を投与することによる、ヒトおよび動物の低リポ蛋白血症、異脂肪血症、高トリグリセリド血症、高脂血症、高コレステロール血症、動脈硬化症、再狭窄、肥満、肥満症、糖尿病、卒中およびアルツハイマー病の処置および／または予防方法。
【請求項１３】
請求項２に記載の式（Ｉａ）の化合物の製造方法であって、式（ＩＩａ）
【化４】
2008524145.tif 000004
の化合物を、先ず、不斉還元により、式（ＩＩＩａ）
【化５】
2008524145.tif 000005
の化合物に変換し、次いで、それを、
［Ａ］ヒドロキシル保護基を導入して、式（ＩＶａ）
【化６】
2008524145.tif 000006
｛式中、ＰＧは、ヒドロキシル保護基、好ましくは式−ＳｉＲ１Ｒ２Ｒ３のラジカル（式中、Ｒ１、Ｒ２およびＲ３は、同一かまたは異なり、（Ｃ１−Ｃ４）アルキルを表す）を表す｝
の化合物を得、次いで、ジアステレオ選択的還元により、式（Ｖａ）
【化７】
2008524145.tif 000007
（式中、ＰＧは上記定義の通りである）
の化合物に変換するか、
または、
［Ｂ］先ず、ジアステレオ選択的に還元し、式（ＶＩａ）
【化８】
2008524145.tif 000008
の化合物を得、次いで、それを、ヒドロキシル保護基ＰＧの位置選択的導入により、式（Ｖａ）の化合物に変換し、
次いで、式（Ｖａ）の化合物を、フッ素化剤を使用して反応させ、式（ＶＩＩａ）
【化９】
2008524145.tif 000009
（式中、ＰＧは上記定義の通りである）
の化合物を得、次いで、ヒドロキシル保護基ＰＧを、常套の方法により開裂し、式（Ｉａ）の化合物を得、
そして、式（Ｉａ）の化合物を、必要に応じて、適切な（ｉ）溶媒並びに／または（ｉｉ）塩基および／もしくは酸で、その溶媒和物、塩および／または塩の溶媒和物に変換する、
ことを特徴とする、方法。
【請求項１４】
請求項３に記載の式（Ｉｂ）の化合物の製造方法であって、式（ＩＩｂ）
【化１０】
2008524145.tif 000010
の化合物を、先ず、不斉還元により、式（ＩＩＩｂ）
【化１１】
2008524145.tif 000011
の化合物に変換し、次いで、それを、
［Ａ］ヒドロキシル保護基を導入して、式（ＩＶｂ）
【化１２】
2008524145.tif 000012
｛式中、ＰＧは、ヒドロキシル保護基、好ましくは式−ＳｉＲ１Ｒ２Ｒ３のラジカル（式中、Ｒ１、Ｒ２およびＲ３は、同一かまたは異なり、（Ｃ１−Ｃ４）アルキルを表す）を表す｝
の化合物を得、次いで、ジアステレオ選択的還元により、式（Ｖｂ）
【化１３】
2008524145.tif 000013
（式中、ＰＧは上記定義の通りである）
の化合物に変換するか、
または、
［Ｂ］先ず、ジアステレオ選択的に還元し、式（ＶＩｂ）
【化１４】
2008524145.tif 000014
の化合物を得、次いで、それを、ヒドロキシル保護基ＰＧの位置選択的導入により、式（Ｖｂ）の化合物に変換し、
次いで、式（Ｖｂ）の化合物を、フッ素化剤を使用して反応させ、式（ＶＩＩｂ）
【化１５】
2008524145.tif 000015
（式中、ＰＧは上記定義の通りである）
の化合物を得、次いで、ヒドロキシル保護基ＰＧを、常套の方法により開裂し、式（Ｉｂ）の化合物を得、
そして、式（Ｉｂ）の化合物を、必要に応じて、適切な（ｉ）溶媒並びに／または（ｉｉ）塩基および／もしくは酸で、その溶媒和物、塩および／または塩の溶媒和物に変換する、
ことを特徴とする、方法。
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
Ｎ−置換サリチルアミドの製造法であって、カルサラム誘導体と式(III)
【化１】
2008524142.tif 000001
〔式中、ｎは１から８の整数であり、Ｑは、容易にカルボン酸部分に変換され得る基であり、そしてＲ５およびＲ６は独立して水素、−ＯＨ、ＮＲ３Ｒ４、ハロゲン、Ｃ１、Ｃ２、Ｃ３またはＣ４アルキル、Ｃ１、Ｃ２、Ｃ３またはＣ４アルコキシ、Ｃ２、Ｃ３またはＣ４アルケニルから選択され、ここでＲ３およびＲ４は各々独立して水素、−ＯＨ、Ｃ１、Ｃ２、Ｃ３またはＣ４アルキル、Ｃ１、Ｃ２、Ｃ３またはＣ４ハロアルキル、Ｃ１、Ｃ２、Ｃ３またはＣ４アルコキシ、Ｃ２、Ｃ３またはＣ４アルケニルである。〕
のクロロ−置換化合物をブロマイドイオン源の存在下で反応させることを含む、方法。
【請求項２】
一般式IV：
【化２】
2008524142.tif 000002
〔式中、Ｒ５、Ｒ６、Ｑおよびｎは請求項１で定義の通りであり、ｔは０、１、２、３、４、５または６であり、ｍは１、２、３または４であり、そしてＲ２は、またはｍ＞１であるときは各Ｒ２は独立して、−ＯＨ、ＮＲ３Ｒ４、ハロゲン、Ｃ１、Ｃ２、Ｃ３またはＣ４アルキル、Ｃ１、Ｃ２、Ｃ３またはＣ４ハロアルキル、Ｃ１、Ｃ２、Ｃ３またはＣ４アルコキシ、Ｃ２、Ｃ３またはＣ４アルケニルから選択され、そしてＲ３およびＲ４は各々独立して水素、−ＯＨ、Ｃ１、Ｃ２、Ｃ３またはＣ４アルキル、Ｃ１、Ｃ２、Ｃ３またはＣ４ハロアルキル、Ｃ１、Ｃ２、Ｃ３またはＣ４アルコキシ、Ｃ２、Ｃ３またはＣ４アルケニルから選択される。〕
の化合物の製造法であって：
(ｉ)式(Ｉ)
【化３】
2008524142.tif 000003
の化合物と、クロロギ酸エステルを弱有機塩基存在下で反応させて、式(II)
【化４】
2008524142.tif 000004
の化合物を形成させ、そして
(ii)式(II)の化合物と式(III)
【化５】
2008524142.tif 000005
の化合物を、ブロマイドイオン源および弱有機塩基の存在下で反応させて、式(IV)の化合物を得る、方法。
【請求項３】
微量のＮａＢｒおよび／またはＥＣＯを含む、請求項２に定義の式(IV)の化合物。
【請求項４】
ＮａＢｒおよび／またはＥＣＯを不純物として含む、化合物Ｎ−(５−クロロサリチロイル)−８−アミノカプリル酸(５−ＣＮＡＣ)。
【請求項５】
薬学的、生理学的、薬理学的または放射線学的活性剤を温血動物体内の標的に送達するための、請求項２に記載の方法で得られる式(IV)の化合物の使用。
【請求項６】
請求項２の方法により得られる式(IV)の化合物を含む、医薬組成物。
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
式ＶＩＩで表されるジフェニル尿素誘導体又は医薬として許容されるその塩
【化１】
2008524158.tif 000001
［式中、
Ｘはテトラゾリル基；
Ｒ１は、３位でハロアルキルにより３位で置換されているフェニルを表し、
Ｒ２は、水素を表し；
Ｒ３及びＲ４はハロを表す］
を含む、ヒトを含む哺乳動物の閉塞性若しくは炎症性気道疾患の治療、予防又は軽減用医薬組成物。
【請求項２】
前記ジフェニル尿素誘導体がＮ−（３，５−ジクロロフェニル）−Ｎ’−［３−（１Ｈ−テトラゾール−５−イル）−３’−トリフルオロメチル−ビフェニル−４−イル］−尿素又は医薬として許容されるその塩である、請求項１に記載の医薬組成物。
【請求項３】
前記閉塞性又は炎症性気道疾患が、急性又は慢性の感染性肺疾患、気道過敏症、じん肺症、アルミニウム肺症、炭肺症、石綿肺症、石症、プティロシス（ｐｔｉｌｏｓｉｓ）、鉄沈着症、ケイ肺症、タバコ症、綿肺症、サルコイドーシス、ベリリウム症、慢性の閉塞性肺疾患（ＣＯＰＤ）、気管支炎、慢性気管支炎、喘息様気管支炎、肺気腫、急性呼吸促迫症候群（ＡＲＤＳ）及び急性肺損傷（ＡＬＩ）、気道過敏症又は嚢胞性線維症の悪化、肺線維症、急性呼吸促迫症候群（ＡＲＤＳ）、肺高血圧症、炎症性肺疾患、急性又は慢性呼吸感染性疾患である、請求項１に記載の使用。
【請求項４】
請求項１又は２に記載の医薬組成物、或いは請求項１又は２に記載されたジフェニル尿素誘導体の医薬として許容されるその付加塩を含む医薬組成物であって、血液脳関門透過性を増加するための医薬組成物。
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
実質的にジフマル酸塩の形の式Ｉを有する４−（６−クロロ−２，３−メチレンジオキシアニリノ）−７−［２−（４−メチルピペラジン−１−イル）エトキシ］−５−テトラヒドロピラン−４−イルオキシキナゾリンの実質的に均一な結晶形（ＡＺＤ０５３０ジフマレート）。
【化１】
2008524183.tif 000001
【請求項２】
一つまたはそれを超えるピークを２θスケール上の約７．１°、９．１°および１０．６°に有するＸ線回折図形を特徴とする、請求項１に記載のＡＺＤ０５３０ジフマレート。
【請求項３】
一つまたはそれを超えるピークを２θスケール上の約５．３°、７．１°、９．１°、１０．６°、１８．３°、１９．３°および２１．１°に有するＸ線回折図形を特徴とする、請求項１に記載のＡＺＤ０５３０ジフマレート。
【請求項４】
下に挙げる通りの２θスケール上の一つまたはそれを超えるピークを包含するＸ線回折図形を特徴とする、請求項１に記載のＡＺＤ０５３０ジフマレート。
【表１】
2008524183.tif 000002
【請求項５】
約２３１〜２４０℃の範囲内にピークがある吸熱を有する示差走査熱量測定サーモグラムを特徴とする、請求項１に記載のＡＺＤ０５３０ジフマレート。
【請求項６】
融解開始を約２３５℃におよび融点ピークを約２３７℃に有する吸熱を示す示差走査熱量測定サーモグラムを特徴とする、請求項１に記載のＡＺＤ０５３０ジフマレート。
【請求項７】
一つまたは双方のピークを約３３５９ｃｍ−１および１７１９ｃｍ−１に有する拡散反射赤外フーリエ変換スペクトルを特徴とする、請求項１に記載のＡＺＤ０５３０ジフマレート。
【請求項８】
一つまたはそれを超えるピークを約３３５９ｃｍ−１（Ｎ−Ｈ）、３１００〜２７００ｃｍ−１、１７１９ｃｍ−１（Ｃ＝Ｏ）、１６６２ｃｍ−１、１６１６ｃｍ−１、１５８６ｃｍ−１、１５２３ｃｍ−１、１５０１ｃｍ−１、１３６０〜１２００ｃｍ−１、１２００〜１０００ｃｍ−１および９７９ｃｍ−１に有する拡散反射赤外フーリエ変換スペクトルを特徴とする、請求項１に記載のＡＺＤ０５３０ジフマレート。
【請求項９】
医薬組成物であって、請求項１に記載の式Ｉの化合物の結晶形および薬学的に許容しうる希釈剤または担体を含む医薬組成物。
【手続補正書】
【提出日】平成20年12月12日(2008.12.12)
【手続補正１】
【補正対象書類名】特許請求の範囲
【補正対象項目名】請求項１
【補正方法】変更
【補正の内容】
【請求項１】
式Ｉ
【化１】
2008524182.tif 000001
［式中、Ｍは、単一光子放出型トモグラフィで画像化可能な放射性金属および／または常磁性金属であり、Ｒは、水素またはハロゲンであって、但し、少なくとも１つのＲがハロゲンであり、Ｙは、オルソ、メタまたはパラＯ（ＣＨ２）ｎＣ２ＨＢ９Ｈ１０またはＯ（ＣＨ２）ｎＣ２ＨＢ１０Ｈ１０から選択され、ｎは、０または１〜２０の整数であり、Ｏ（ＣＨ２）ｎＣ２ＨＢ９Ｈ１０は、ニドオルソ−、メタ−、パラ−カルボランであり、Ｏ（ＣＨ２）ｎＣ２ＨＢ１０Ｈ１０は、オルソ−、メタ−、パラ−カルボランである］を有する化合物を調製する方法であって、式ＩＩＩ
【化２】
2008524182.tif 000002
［式中、ＹおよびＭは、式Ｉの化合物で定義した通りである］を有する化合物を、ハロゲン化剤と化合させ、前記式Ｉを有する化合物を形成する、方法。
【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
式Ｉのエナンチオ純粋な化合物
【化１】
2008524161.tif 000001
又は薬剤として許容されるその塩
［式中、
Ｒは、水素又はアルキルを表し、
前記アルキルは、
ハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニル
からなる群から独立に選択される、１つ又は複数の置換基で場合により置換されており、
Ｑはヘテロアリール基を表し、
前記ヘテロアリール基は、
ハロ、トリフルオロメチル、トリフルオロメトキシ、シアノ、ニトロ、ヒドロキシ、アルコキシ、シクロアルコキシ、アルコキシアルキル、シクロアルコキシアルキル、アルキル、シクロアルキル、シクロアルキルアルキル、アルケニル、アルキニル、−ＮＲ’Ｒ”、−（Ｃ＝Ｏ）ＮＲ’Ｒ”又は−ＮＲ’（Ｃ＝Ｏ）Ｒ”
からなる群から独立に選択される、１つ又は複数の置換基で場合により置換されており、
但し、Ｒ’及びＲ”は相互に独立に、水素又はアルキルである］。
【請求項２】
Ｒが、水素又はアルキルを表す、請求項１に記載の化合物。
【請求項３】
Ｑがベンゾチエニルを表す、請求項１又は２に記載の化合物。
【請求項４】
Ｑがハロで置換されたベンゾチエニルを表す、請求項１又は２に記載の化合物。
【請求項５】
３−（２−ベンゾチエニル）−８Ｈ−８−アザビシクロ［３．２．１］オクト−２−エン
のエナンチオ純粋な化合物、
又は薬剤として許容されるその塩である、請求項１に記載の化合物。
【請求項６】
３−（７−フルオロ−ベンゾ［ｂ］チオフェン−２−イル）−８−アザ−ビシクロ［３．２．１］オクト−２−エン、
３−（７−クロロ−ベンゾ［ｂ］チオフェン−２−イル）−８−アザ−ビシクロ［３．２．１］オクト−２−エン、
３−（２−ベンゾチエニル）−８−メチル−８−アザビシクロ［３．２．１］オクト−２−エン、
３−（７−フルオロ−ベンゾ［ｂ］チオフェン−２−イル）−８−メチル−８−アザ−ビシクロ［３．２．１］オクト−２−エン
のエナンチオ純粋な化合物、
又は薬剤として許容されるその塩である、請求項１に記載の化合物。
【請求項７】
エナンチオ純粋な（＋）−３−（２−ベンゾチエニル）−８Ｈ−８−アザビシクロ［３．２．１］オクト−２−エン、
又は薬剤として許容されるその塩である、請求項１に記載の化合物。
【請求項８】
エナンチオ純粋な（−）−３−（２−ベンゾチエニル）−８Ｈ−８−アザビシクロ［３．２．１］オクト−２−エン、
又は薬剤として許容されるその塩である、請求項１に記載の化合物。
【請求項９】
エナンチオ純粋な（＋）−３−（７−フルオロ−ベンゾ［ｂ］チオフェン−２−イル）−８−アザ−ビシクロ［３．２．１］オクト−２−エン、
エナンチオ純粋な（−）−３−（７−フルオロ−ベンゾ［ｂ］チオフェン−２−イル）−８−アザ−ビシクロ［３．２．１］オクト−２−エン、
エナンチオ純粋な（−）−３−（７−クロロ−ベンゾ［ｂ］チオフェン−２−イル）−８−アザ−ビシクロ［３．２．１］オクト−２−エン、
エナンチオ純粋な（−）−３−（２−ベンゾチエニル）−８−メチル−８−アザビシクロ［３．２．１］オクト−２−エン、
エナンチオ純粋な（＋）−３−（２−ベンゾチエニル）−８−メチル−８−アザビシクロ［３．２．１］オクト−２−エン、
エナンチオ純粋な（＋）−３−（７−フルオロ−ベンゾ［ｂ］チオフェン−２−イル）−８−メチル−８−アザ−ビシクロ［３．２．１］オクト−２−エン、
エナンチオ純粋な（−）−３−（７−フルオロ−ベンゾ［ｂ］チオフェン−２−イル）−８−メチル−８−アザ−ビシクロ［３．２．１］オクト−２−エン、
又は薬剤として許容されるその塩である、請求項１に記載の化合物。
【請求項１０】
請求項１から９までのいずれか一項に記載の化合物、又は薬剤として許容されるその塩の治療有効量を、少なくとも１種の薬剤として許容される担体、賦形剤又は希釈剤と共に含む薬剤組成物。
【請求項１１】
請求項１から９までのいずれか一項に記載の化合物、又は薬剤として許容されるその塩を含む、薬剤。
【請求項１２】
請求項１１に記載の薬剤を含む、中枢神経系におけるモノアミン神経伝達物質の再取込みの阻害に応答する、ヒトを含む哺乳動物の疾患又は障害又は状態を治療、予防又は緩和する薬剤組成物。
【請求項１３】
前記疾患、障害又は状態が、気分障害、鬱病、非定型鬱病、疼痛に伴う鬱病、大鬱病性障害、気分変調性障害、双極性障害、双極Ｉ型障害、双極ＩＩ型障害、気分循環性障害、全身の病状に起因する気分障害、物質誘発性気分障害、仮性認知症、ガンザー症候群、強迫性障害、パニック障害、広場恐怖症を伴わないパニック障害、広場恐怖症を伴うパニック障害、パニック障害の病歴を伴わない広場恐怖症、パニック発作、記憶障害、記憶喪失、注意欠陥多動性障害、肥満症、不安、全身性不安障害、摂食障害、パーキンソン病、パーキンソニズム、認知症、加齢による認知症、老人性認知症、アルツハイマー病、後天性免疫不全症候群認知症候群、加齢による記憶機能障害、特定の恐怖症、社会恐怖症、社会不安障害、心的外傷後ストレス障害、急性ストレス障害、薬物嗜癖、薬物乱用、コカイン乱用、ニコチン中毒、タバコ中毒、アルコール嗜癖、アルコール依存症、病的盗癖、疼痛、慢性的疼痛、炎症性疼痛、神経因性疼痛、片頭痛、緊張型頭痛、慢性緊張型頭痛、鬱病に伴う疼痛、線維筋痛症、関節炎、変形性関節症、慢性関節リウマチ、背痛、癌性疼痛、過敏性腸痛、過敏性腸症候群、術後痛、乳房切除後疼痛症候群（ＰＭＰＳ）、脳卒中後疼痛、薬物誘発性神経障害、糖尿病性神経障害、交感神経依存性痛、三叉神経痛、歯痛、顔面筋疼痛、幻肢痛、過食症、月経前症候群、月経前不快気分障害、後期黄体期症候群、外傷後症候群、慢性疲労症候群、尿失禁、緊張性尿失禁、切迫性尿失禁、夜尿、性機能障害、早漏、勃起困難、勃起機能障害、早すぎる女性のオルガスム、下肢静止不能症候群、周期性四肢運動障害、摂食障害、神経性食欲不振症、睡眠障害、広汎性発達障害、自閉症、アスペルガー障害、レット障害、小児期崩壊性障害、学習障害、運動技能障害、無言症、抜毛癖、ナルコレプシー、脳卒中後鬱病、脳卒中誘発性脳損傷、脳卒中誘発性ニューロン損傷又はジルドラトゥーレット病である、請求項１２に記載の薬剤組成物。
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
以下の化合物：
(1)1-メチル-2-(4-シクロペンチルオキシ-ベンジル)-4-(β-D-グルコピラノース-1-イル)-ベンゼン、
(2)1-メチル-2-[4-((R)-テトラヒドロフラン-3-イルオキシ)-ベンジル]-4-(β-D-グルコピラノース-1-イル)-ベンゼン、
(3)1-メチル-2-[4-((S)-テトラヒドロフラン-3-イルオキシ)-ベンジル]-4-(β-D-グルコピラノース-1-イル)-ベンゼン、
(4)1-メチル-2-(4-シクロヘキシルオキシ-ベンジル)-4-(β-D-グルコピラノース-1-イル)-ベンゼン、
(5)1-クロロ-2-[4-(1-tert-ブチルオキシカルボニルピペリジン-4-イルオキシ)-ベンジル]-4-(β-D-グルコピラノース-1-イル)-ベンゼン、
(6)1-クロロ-2-[4-(ピペリジン-4-イルオキシ)-ベンジル]-4-(β-D-グルコピラノース-1-イル)-ベンゼン、
(7)1-メトキシ-2-(β-D-グルコピラノース-1-イル)-4-(4-エチニル-ベンジル)-ベンゼン、
(10)1-クロロ-2-(4-ヒドロキシエチルエチニル-ベンジル)-4-(β-D-グルコピラノース-1-イル)-ベンゼン、
(11)1-エチニル-2-(4-メトキシ-ベンジル)-4-(β-D-グルコピラノース-1-イル)-ベンゼン、
(12)1-メチル-2-(4-ブチン-1-イル-ベンジル)-4-(β-D-グルコピラノース-1-イル)-ベンゼン、
(13)1-クロロ-2-(4-プロピン-1-イル-ベンジル)-4-(β-D-グルコピラノース-1-イル)-ベンゼン、
(14)1-メチル-2-(4-プロピン-1-イル-ベンジル)-4-(β-D-グルコピラノース-1-イル)-ベンゼン、
(15)1-イソプロピル-2-(4-エチニル-ベンジル)-4-(β-D-グルコピラノース-1-イル)-ベンゼン、
(16)1-クロロ-2-(4-イソプロピルエチニル-ベンジル)-4-(β-D-グルコピラノース-1-イル)-ベンゼン
の中から選択されるグルコピラノシル置換ベンゼン誘導体、
又はβ-D-グルコピラノシル基の1個以上のヒドロキシル基が、(C1-18-アルキル)カルボニル、(C1-18-アルキル)オキシカルボニル、フェニルカルボニル及びフェニル-(C1-3-アルキル)-カルボニルから選択される基でアシル化されている、その誘導体、若しくは医薬的に許容しうるその塩、
或いはその互変異性体、立体異性体又はその混合物、及びその塩。
【請求項２】
該β-D-グルコピラノシル基のヒドロキシル基O-6の水素原子が、(C1-8-アルキル)カルボニル、(C1-8-アルキル)オキシカルボニル及びフェニルカルボニルの中から選択される基と置き換わっていることを特徴とする請求項１に記載のグルコピラノシル置換ベンゼン誘導体、又はその医薬的に許容しうる塩。
【請求項３】
請求項１又は２に記載の化合物の、無機又は有機酸との生理学的に許容しうる塩。
【請求項４】
請求項１若しくは２に記載の化合物又は請求項３に記載の生理学的に許容しうる塩を含み、任意に１種以上の不活性な担体及び／又は希釈剤を一緒に含んでよい医薬組成物。
【請求項５】
少なくとも１種の請求項１若しくは２に記載の化合物又は請求項３に記載の生理学的に許容しうる塩の、ナトリウム依存性グルコース共輸送体SGLTを阻害することによって影響を受けうる疾患又は状態の治療又は予防に適した医薬組成物を調製するための使用。
【請求項６】
少なくとも１種の請求項１若しくは２に記載の化合物又は請求項３に記載の生理学的に許容しうる塩の、１種以上の代謝障害の治療又は予防に適した医薬組成物を調製するための使用。
【請求項７】
前記代謝障害が、１型及び２型糖尿病、糖尿病の合併症、代謝性アシドーシス若しくはケトーシス、反応性低血糖症、高インスリン血症、グルコース代謝障害、インスリン抵抗性、代謝症候群、種々起源の異脂肪血症、アテローム性動脈硬化症と関連疾患、肥満症、高血圧、慢性心不全、水腫及び高尿酸血症から成る群より選択されることを特徴とする請求項６に記載の使用。
【請求項８】
少なくとも１種の請求項１若しくは２に記載の化合物又は請求項３に記載の生理学的に許容しうる塩の、ナトリウム依存性グルコース共輸送体SGLT2を阻害するための医薬組成物を調製するための使用。
【請求項９】
少なくとも１種の請求項１若しくは２に記載の化合物又は請求項３に記載の生理学的に許容しうる塩の、膵臓β細胞の変性を予防するため、及び／又は膵臓β細胞の機能性を改善及び／又は修復するための医薬組成物を調製するための使用。
【請求項１０】
少なくとも１種の請求項１若しくは２に記載の化合物又は請求項３に記載の生理学的に許容しうる塩の、利尿薬及び／又は抗高血圧薬を調製するための使用。
【請求項１１】
請求項１若しくは２に記載の化合物又は請求項３に記載の生理学的に許容しうる塩を、１種以上の担体及び／又は希釈剤に非化学的方法で組み入れることを特徴とする、請求項４に記載の医薬組成物の調製方法。
【手続補正書】
【提出日】平成20年12月16日(2008.12.16)
【手続補正１】
【補正対象書類名】明細書
【補正対象項目名】００１０
【補正方法】変更
【補正の内容】
【００１０】
以下に、本発明において可能な実施形態を概説する。
送受信電話回路、前記回路に接続された少なくとも１つの送受信電話アンテナ、テレビ受像機及び前記テレビ受像機に接続されたテレビアンテナを有する、セル−ないしは携帯電話のような携帯電話装置であって、電話アンテナが電界アンテナであり、テレビアンテナが磁界アンテナであることを特徴とする携帯電話装置。（形態１）
前記電界アンテナが多帯域アンテナであり、前記磁界アンテナが周波数チャンネル選択用のチューナーユニットを有する携帯電話装置。（形態２）
前記テレビ受像機が、可変の制御電圧用の出力部を有し、前記制御電圧が前記チューナーユニットに接続可能である携帯電話装置。（形態３）
低ノイズの増幅器が磁界アンテナとテレビ受像機との間に電気的に接続されている携帯電話装置。（形態４）
前記低ノイズの増幅器が前記磁界アンテナに組み込まれている携帯電話装置。（形態５）
前記低ノイズの増幅器が前記テレビ受像機に組み込まれている携帯電話装置。（形態６）
前記チューナーユニットの少なくとも一部が前記磁界アンテナに組み込まれている携帯電話装置。（形態７）
前記チューナーユニットが前記磁界アンテナに組み込まれている携帯電話装置。（形態８）
前記磁界アンテナと前記テレビ受像機との間において、スイッチを介して、２〜３ＧＨｚの周波数帯域において動作するＲＦユニットに電気的に接続されている携帯電話装置。（形態９）
前記磁界アンテナに含まれる内側ループが前記ＲＦユニットに対するアンテナとして配されている携帯電話装置。（形態１０）
前記磁界アンテナが端末装置のための外側ケーシング上またはその内部に配されている携帯電話装置。（形態１１）
前記磁界アンテナが端末装置のための内側ケーシング上またはその内部に配されている携帯電話装置。（形態１２）
なお、特許請求の範囲に付記した図面参照符号は専ら理解を助けるためのものであり、図示の態様に限定することを意図するものではない。
以下に本発明を、添付図面を参照して一層詳細に説明する。